(57)【要約】電気機器管理装置（１０２）は、ユーザスケジュールデータを含むカレンダスケジュールデータ（１０６）と連動制御規則データ（１０７）とが格納される記憶部（１０４）と、機器スケジュール設定部（１１６）と、機器制御部（１１８）とを備える。ユーザスケジュールデータは、予定を示す。連動制御規則データ（１０７）は、予定に応じた電気機器の制御スケジュールを決定するための連動制御規則を含む。機器スケジュール設定部（１１６）は、ユーザスケジュールデータが示す予定に応じた制御スケジュールを、連動制御規則データ（１０７）に基づいて設定する。機器制御部（１１８）は、制御スケジュールに従って、制御対象機器を制御する。
2015114810.tif 000002
【特許請求の範囲】
【請求項１】
予定を示すユーザスケジュールデータを取得するユーザスケジュール取得手段と、
前記予定に応じた電気機器の制御スケジュールを決定するための連動制御規則を含む連動制御規則データが格納される記憶手段と、
前記ユーザスケジュール取得手段によって取得されたユーザスケジュールデータが示す予定に応じた制御スケジュールを、前記記憶手段に格納された連動制御規則データに基づいて設定する機器スケジュール設定手段と、
前記機器スケジュール設定手段によって設定された制御スケジュールに従って、制御の対象となる電気機器である制御対象機器を制御する機器制御手段とを備える電気機器管理装置。
【請求項２】
前記ユーザスケジュールデータは、前記予定の内容と当該予定に関連するユーザとを含み、
前記連動制御規則データは、前記予定の内容と、当該予定に関連するユーザと、前記連動制御規則とが関連付けられたものであり、
前記機器スケジュール設定手段は、前記ユーザスケジュールデータに含まれる予定の内容と当該予定に関連するユーザとに応じた制御スケジュールを、前記連動制御規則データに基づいて設定する請求項１に記載の電気機器管理装置。
【請求項３】
前記連動制御規則データは、前記制御対象機器を決定するための前記連動制御規則として、予め設定される区画と前記ユーザとを関連付けた区画データをさらに含むとともに、前記区画と前記電気機器とを関連付けたデータを含み、
前記機器スケジュール設定手段は、前記ユーザスケジュールデータに含まれるユーザに前記区画データにて関連付けられた区画を特定し、当該特定した区画に前記連動制御規則データにて関連付けられた前記電気機器を特定することによって、前記制御対象機器を決定する
請求項２に記載の電気機器管理装置。
【請求項４】
前記連動制御規則データは、前記特定された区画に関連付けられた電気機器を前記制御対象機器とするか否かを決定するために当該電気機器に対応付けられた条件であって、前記特定された区画に前記区画データにて関連付けられたユーザと前記ユーザスケジュールデータに含まれるユーザとの関係により定められたものである設定条件を、前記制御対象機器を決定するための前記連動制御規則として、さらに含み、
前記機器スケジュール設定手段は、前記特定した電気機器のうち、前記対応する設定条件を満たすものを前記制御対象機器として決定する
請求項３に記載の電気機器管理装置。
【請求項５】
前記連動制御規則データは、
前記制御対象機器を決定するための前記連動制御規則として、予め設定される区画と前記ユーザとを関連付けた区画データと、
前記区画と前記電気機器とを関連付けたデータと、
前記区画に関連付けられた電気機器を前記制御対象機器とするか否かを決定するために当該電気機器に対応付けられた条件であって、前記区画に前記区画データにて関連付けられたユーザと前記ユーザスケジュールデータに含まれるユーザとの関係により定められたものである設定条件とを含み、
前記機器スケジュール設定手段は、前記ユーザスケジュールデータに含まれるユーザに前記区画データにて関連付けられた区画を特定し、当該特定した区画に前記区画データにて関連付けられたユーザと前記ユーザスケジュールデータに含まれるユーザとが前記設定条件を満たす場合に、当該設定条件に対応付けられた電気機器を前記制御対象機器として決定する
請求項２に記載の電気機器管理装置。
【請求項６】
前記設定条件は、前記区画に前記区画データにて関連付けられたユーザの一部又は全部のすべてが、前記ユーザスケジュールデータに含まれるユーザに含まれることを示す第１の設定条件を含み
前記機器スケジュール設定手段は、前記第１の設定条件を満たす場合に、当該第１の設定条件に対応付けられた電気機器を前記制御対象機器とし、第１の制御を制御内容とする制御スケジュールを設定する
請求項４又は５に記載の電気機器管理装置。
【請求項７】
前記設定条件は、前記区画に前記区画データにて関連付けられたユーザの一部又は全部のいずれかが、前記ユーザスケジュールデータに含まれるユーザに含まれることを示す第２の設定条件を含み
前記機器スケジュール設定手段は、前記第２の設定条件を満たす場合に、当該第２の設定条件に対応付けられた電気機器を前記制御対象機器とし、前記第１の制御とは異なる第２の制御を制御内容とする制御スケジュールを設定する
請求項６に記載の電気機器管理装置。
【請求項８】
前記機器スケジュール設定手段により設定された前記制御スケジュールに従って前記制御対象機器を制御する前に、前記制御対象機器を制御することを通知する通知手段をさらに備える
請求項１から７のいずれか１項に記載の電気機器管理装置。
【請求項９】
前記機器スケジュール設定手段により設定された前記制御スケジュールと、前記ユーザスケジュールデータにより示される予定とを含むカレンダを表示する表示手段をさらに備える
請求項１から８のいずれか１項に記載の電気機器管理装置。
【請求項１０】
前記連動制御規則データは、
前記予定の内容と当該予定に関連するユーザとに応じた一括設定の種類と、当該一括設定による制御を行う制御時刻を決定するための情報とを含む連動定義データと、
前記一括設定の種類と、前記制御対象機器と、当該制御対象機器に対する制御内容とを含む一括設定定義データとを含み、
前記機器スケジュール設定手段は、前記ユーザスケジュールデータと前記連動定義データと前記一括設定定義データとに基づいて、前記ユーザスケジュールデータに含まれる予定の内容と当該予定に関連するユーザとに応じた、前記制御時刻、前記制御対象機器及び前記制御内容を含む前記制御スケジュールを設定する
請求項１から９のいずれか１項に記載の電気機器管理装置。
【請求項１１】
前記予定の内容は、予定の種類と予定タイトルとの少なくとも一方を含む
請求項１から１０のいずれか１項に記載の電気機器管理装置。
【請求項１２】
ユーザ入力に基づいて前記カレンダスケジュールデータを生成して送信する端末装置と、
請求項１から１１までのいずれか１項に記載の電気機器管理装置と、
前記端末装置と前記電気機器管理装置とのそれぞれに通信回線を介して接続されるサーバ装置とを備え、
前記サーバ装置は、
前記端末装置と前記電気機器管理装置とを対応付ける管理データが格納される管理記憶手段と、
前記カレンダスケジュールデータが格納されるカレンダスケジュール記憶手段と、
前記端末装置から送信される前記カレンダスケジュールデータを受信し、前記受信したカレンダスケジュールデータによりカレンダスケジュール記憶手段を更新するとともに、前記受信したカレンダスケジュールデータを前記電気機器管理装置へ転送する同期手段とを備え、
前記カレンダスケジュール取得手段は、前記通信回線を介して、前記同期手段から前記カレンダスケジュールデータを取得する電気機器管理システム。
【請求項１３】
請求項１から１１までのいずれか１項に記載された、複数の電気機器管理装置と、
前記電気機器管理装置とのそれぞれに通信回線を介して接続されるサーバ装置とを備え、
前記サーバ装置は、
前記電気機器管理装置のそれぞれの、前記通信回線におけるアドレスを含む管理データが格納される管理記憶手段と、
前記電気機器管理装置のユーザごとの、前記カレンダスケジュールデータが格納されるカレンダスケジュール記憶手段と、
前記電気機器管理装置のユーザごとの前記カレンダスケジュールデータにより示されるユーザの予定が予め定められた関係にある場合に、前記電気機器管理装置のそれぞれが管理する機器の動作を制御するための制御信号を生成して、前記電気機器管理装置のそれぞれの前記アドレスへ送信する機器管理手段とを備え、
前記機器制御手段のそれぞれは、前記機器管理手段から送信された前記制御信号を受信し、前記制御信号に従って前記機器の動作を制御する電気機器管理システム。
【請求項１４】
予定を示すユーザスケジュールデータを取得するユーザスケジュール取得手段と、
電気機器に対する前記予定に応じた制御スケジュールを決定するための連動制御規則を含む連動制御規則データが格納される記憶手段と、
前記ユーザスケジュール取得手段によって取得されたユーザスケジュールデータが示す予定に応じた制御スケジュールを、前記記憶手段に格納された連動制御規則データに基づいて設定する機器スケジュール設定手段と、
前記機器スケジュール設定手段によって設定された制御スケジュールに従って、制御の対象となる電気機器である制御対象機器を制御する機器制御手段とを備える電気機器。
【請求項１５】
予定を示すユーザスケジュールデータを取得するユーザスケジュール取得手段と、
電気機器に対する前記予定に応じた制御スケジュールを決定するための連動制御規則を含む連動制御規則データが格納される記憶手段と、
前記ユーザスケジュール取得手段によって取得されたユーザスケジュールデータが示す予定に応じた制御スケジュールを、前記記憶手段に格納された連動制御規則データに基づいて設定する機器スケジュール設定手段と、
前記機器スケジュール設定手段によって設定された制御スケジュールに従って、制御の対象となる電気機器である制御対象機器を制御する機器制御手段とを備える端末装置。
【請求項１６】
コンピュータに、
予定を示すユーザスケジュールデータを取得するユーザスケジュール取得手段と、
電気機器に対する前記予定に応じた制御スケジュールを決定するための連動制御規則を含む連動制御規則データが格納される記憶手段と、
前記ユーザスケジュール取得手段によって取得されたユーザスケジュールデータが示す予定に応じた制御スケジュールを、前記記憶手段に格納された連動制御規則データに基づいて設定する機器スケジュール設定手段と、
前記機器スケジュール設定手段によって設定された制御スケジュールに従って、制御の対象となる電気機器である制御対象機器を制御する機器制御手段とを実現させるためのプログラム。
【発明の詳細な説明】
【技術分野】
【０００１】
本発明は、電気機器管理装置、電気機器管理システム、電気機器、端末装置及びプログラムに関する。
【背景技術】
【０００２】
住宅における消費電力の抑制などを目的とするシステムとしてＨＥＭＳ(Home Energy Management System)がある。一般的に、ＨＥＭＳは、住宅における電力の消費量データなどを収集保持し、住宅に設置された電気機器を管理する電気機器管理装置を備える。例えば特許文献１に記載の技術を電気機器管理装置に適用すれば、電力の消費実績値が消費目標量以下であるか否かの評価結果をカレンダに表示して、ユーザの省エネルギへの意識付けを行うことができる。
【先行技術文献】
【特許文献】
【０００３】
【特許文献１】特許第４６８４１９５号公報
【発明の概要】
【発明が解決しようとする課題】
【０００４】
しかしながら、省エネルギを図りつつ、ユーザの快適性を維持するには、例えば帰宅の予定時刻に合わせて電気機器にタイマ設定するなど、ユーザが電気機器を操作する手間が掛かる。また、ユーザが省エネルギを意識していても、例えば外出時の電灯、空調機の消し忘れなど、電気機器の操作を忘れることはあり得る。【０００５】
本発明は、上述の事情に鑑みてなされたもので、ユーザが意識的に電気機器を操作しなくても、ユーザが所望する快適性を維持しつつエネルギの消費量を抑制することが可能な機器管理装置などを提供することを目的とする。
【課題を解決するための手段】
【０００６】
上記目的を達成するため、本発明に係る電気機器管理装置は、
予定を示すユーザスケジュールデータを取得するユーザスケジュール取得手段と、
前記予定に応じた電気機器の制御スケジュールを決定するための連動制御規則を含む連動制御規則データが格納される記憶手段と、
前記ユーザスケジュール取得手段によって取得されたユーザスケジュールデータが示す予定に応じた制御スケジュールを、前記記憶手段に格納された連動制御規則データに基づいて設定する機器スケジュール設定手段と、
前記機器スケジュール設定手段によって設定された制御スケジュールに従って、制御の対象となる電気機器である制御対象機器を制御する機器制御手段とを備える。
【発明の効果】
【０００７】
本発明によれば、ユーザが意識的に電気機器を操作しなくても、ユーザが所望する快適性を維持しつつエネルギの消費量を抑制することが可能になる。
【図面の簡単な説明】
【０００８】
【図１】本発明の実施の形態１に係る電気機器管理システムの構成を示す図である。
【図２】実施の形態１に係る電気機器管理装置の構成を示す図である。
【図３Ａ】機器スケジュールデータの一例を示す図である。
【図３Ｂ】機器スケジュールデータの一例を示す図である。
【図４】電気機器管理装置が保持するカレンダスケジュールデータの一例を示す図である。
【図５】連動定義データの一例を示す図である。
【図６】一括設定定義データの一例を示す図である。
【図７】区画データの一例を示す図である。
【図８】実施の形態１に係るユーザスケジュール登録処理の流れを示すフローチャートである。
【図９】実施の形態１に係る連動制御処理の流れを示すフローチャートである。
【図１０】実施の形態１に係る連動制御処理の流れを示すフローチャートである。
【図１１】表示部に表示されるカレンダの一例を示す図である。
【図１２】本発明の実施の形態２に係る電気機器管理システムの構成を示す図である。
【図１３】実施の形態２に係るサーバ装置が保持するカレンダスケジュールデータの一例を示す図である。
【図１４】実施の形態２に係る管理データの一例を示す図である。
【図１５】実施の形態２に係る電気機器管理装置の構成を示す図である。
【図１６】本発明の実施の形態３に係る電気機器管理システムの構成を示す図である。
【図１７】実施の形態３に係るサーバ装置が保持するカレンダスケジュールデータの一例を示す図である。
【図１８】実施の形態３に係る管理データの一例を示す図である。
【図１９】実施の形態３に係る電気機器管理装置の構成を示す図である。
【発明を実施するための形態】
【０００９】
以下、本発明の実施形態について、図面を参照しつつ説明する。全図を通じて同一の要素には同一の符号を付す。
【００１０】
実施の形態１．
本発明の実施の形態１に係る電気機器管理システム１００は、図１に示すように、住宅Ａの各部屋（寝室、書斎、子供部屋、リビング、キッチンなど）に設置される電気機器１０１（照明機器１０１ａ＿１〜５、空調機１０１ｂ＿１〜４、ＩＨＣＨ（ＩＨクッキングヒータ）１０１ｃ＿５、冷蔵庫１０１ｄ＿５、給湯システム１０１ｅ）と、電気機器管理装置１０２とから構成される。電気機器管理装置１０２は、有線、無線又はこれらを組み合わせて構成される宅内ネットワークを介して電気機器１０１と通信し、これによって、管理対象領域としての住宅Ａに設置された電気機器１０１を管理する。また、電気機器管理装置１０２は、端末装置１０３と有線、無線又はこれらを組み合わせて通信接続されており、電気機器１０１の管理に関わる指示、情報などを端末装置１０３との間で送受信する。
【００１１】
端末装置１０３は、例えば多機能携帯電話（いわゆる、スマートフォン）、タブレット型のコンピュータ、パーソナルピュータである。端末装置１０３には、例えば、電気機器１０１の管理に関わる指示、情報などを作成し、電気機器管理装置１０２へ送信するための機能を実現するためのソフトウェアプログラム（プログラム）がインストールされて実行されるとよい。
【００１２】
電気機器管理装置１０２は、住宅Ａの家族の構成員（ユーザ）により予定が入力されると、その予定に連動して電気機器１０１の動作を制御する。家族の構成員は、適宜設定されてよく、本実施の形態では、住宅Ａの家族が、父、母、子、ペットとしての犬で構成される例により説明する。なお、本実施の形態では、家族の構成員を区別する例により説明するが、例えば一人暮らしの住宅などで家族の構成員を区別しない場合は、各ユーザを示す情報は、適宜省略されてよい。
【００１３】
記憶部１０４は、例えばフラッシュメモリ、ＨＤＤ(Hard Disc Drive)などから構成され、各種データを記憶する。
【００１４】
機器スケジュールデータ１０５は、電気機器管理装置１０２による電気機器１０１の動作の制御に関係するスケジュールを含むデータである。ここで、電気機器１０１の動作の制御は、例えば、待機状態である電気機器１０１の運転を開始させたり、電気機器１０１の運転を停止し待機状態にさせたり、運転中の電気機器１０１の設定（例えば、空調機の設定温度）を変更したりすることを含む。
【００１５】
機器スケジュールデータ１０５では、図３Ａ及び図３Ｂに示すように、機器スケジュールＩＤ（Identification Data）と、制御対象機器と、制御内容と、制御時刻と、設定方法とが関連付けられている。なお、本実施の形態では、電気機器１０１を制御するスケジュール（制御スケジュール）は、制御対象機器と、制御内容と、制御時刻とから構成される。
【００１６】
機器スケジュールＩＤは、機器スケジュールデータ１０５の各々を特定するための情報である。制御対象機器は、電気機器管理装置１０２が動作を制御する対象となる電気機器１０１を特定するための情報である。制御内容は、関連付けられた制御対象機器に対する制御の内容を示す情報である。制御時刻は、関連付けられた制御対象機器及び制御内容に応じた制御を行う日時を示す情報である。設定方法は、機器スケジュールデータ１０５の各々が、入力部１１２へのユーザ入力に基づいて手動で個別に設定されたのか、家族により入力された予定に連動して自動で設定されたのかを示す情報である。
【００１７】
予定に連動して設定された機器スケジュールデータ１０５では、設定方法は、連動した予定と一括設定の種類とを示す。これにより、連動した予定が変更又は削除された場合に、それと連動して機器スケジュールデータ１０５を変更又は削除することができる。
【００１８】
ここで、一括設定とは、家族により入力された予定に連動して自動で制御スケジュールを設定することをいう。一括設定の種類は、家族の予定に伴うユーザの動作（例えば、宅内から外へ出ること、外から宅内に戻ること）、家族の予定である出来事（例えば、来客）などに応じて実行される１つの制御又は複数の制御のまとまりに対して付与される識別子である。
【００１９】
本実施の形態において、「外出」という一括設定の種類は、予定の主体が宅内から外へ出る時に実行される制御群を示す。「帰宅」という一括設定の種類は、予定の主体が外から宅内に戻る時に実行される制御群を示す。「来客」という一括設定の種類は、来客の２時間前に実行される制御を示す。
【００２０】
「沸き上げ停止」という一括設定の種類は、給湯システム１０１ｅが定期的に（例えば、毎日同じ時刻になると）実行する沸き上げを、予定に応じた期間停止させる（禁止する）制御を示す。このとき、例えば給湯システム１０１ｅが沸き上げ停止期間を設定できる場合は、給湯システム１０１ｅに対して沸き上げ停止期間を設定するとよい。また例えば、沸き上げ停止制御による沸き上げ停止の有効期間が１日の場合は、給湯システム１０１ｅに対して、予定に応じた期間中、定期的（例えば毎日同じ時刻）に給湯システム１０１ｅに沸き上げを停止させる制御を行うとよい。「沸き上げ再開」という一括設定の種類は、給湯システム１０１ｅの沸き上げの停止を解除し、それによって、給湯システム１０１ｅの定期的な沸き上げを再開させる制御を示す。
【００２１】
なお、本実施の形態では、例えば、同図の機器スケジュールＩＤが１１、１２などの機器スケジュールデータ１０５のように、機器スケジュールデータ１０５は、電気機器管理装置１０２が特定の制御を実行することをユーザへ知らせるためのメールを送信するスケジュールも含む。
【００２２】
カレンダスケジュールデータ１０６は、家族の予定を示すデータ（ユーザスケジュールデータ１０６ａ）と、家族が特定した一括設定を電気機器管理装置１０２が実行する予定を示すデータ（制御スケジュールデータ１０６ｂ）とを含んでおり、図４に示すように、カレンダＩＤと、主体と、予定の種類と、予定タイトルと、始期及び終期からなる時期とを含む。
【００２３】
カレンダＩＤは、カレンダスケジュールデータ１０６の各々を特定するための情報である。
【００２４】
主体は、予定に関係する主体を示す情報である。主体が家族の構成員であるカレンダスケジュールデータ１０６（ユーザスケジュールデータ１０６ａ）は、家族の予定を示すデータである。主体が装置であるカレンダスケジュールデータ１０６（制御スケジュールデータ１０６ｂ）は、電気機器管理装置１０２の予定である。
【００２５】
予定の種類は、家族の予定の種類を示す情報であって、例えば、ユーザが予定を入力する際に、予め設定されたリストの中から適宜選択されるものである。
予定タイトルは、予定に付与される名称を示す情報であって、例えば、ユーザが予定を入力する際に、ユーザが任意に入力するものである。
【００２６】
なお、本実施の形態の予定の種類は、予定の内容の一例である。予定の内容は、カレンダスケジュールデータ１０６と後述する連動定義データ１０８とを関連付けることができる情報であればよく、例えば予定タイトルが予定の内容に採用されもよく、予定の種類と予定タイトルとの組み合わせたものが予定の内容に採用されてもよい。
【００２７】
主体、予定の種類及び予定タイトルは、例えば、予定タイトルが定まると、主体と予定の種類が定まる関係にある。すなわち、新たな予定タイトルが作成されると、それに主体と予定の種類が関連付けられる。これらの関係は、図示しないデータとして記憶部１０４に格納されるとよい。
【００２８】
始期及び終期は、それぞれ、開始予定時刻及び終了予定時刻を示す情報である。
【００２９】
連動制御規則データ１０７は、ユーザの予定が一括設定の対象である場合に、その予定に応じた電気機器の制御スケジュールを決定するための規則（連動制御規則）を含む。詳細には、連動制御規則データ１０７は、予定の種類に応じた制御対象機器と、制御対象機器に対する制御内容と、タイミングとを含むデータである。タイミングは、一括設定による制御を行う時刻としての制御時刻を決定するための情報であって、例えば、予定の始期又は終期に関連付けて定められる。
【００３０】
本実施の形態では、連動制御規則データ１０７は、図２に示すように、連動定義データ１０８と、一括設定定義データ１０９と、区画データ１１０とから構成される。
【００３１】
連動定義データ１０８は、一括設定の種類及びタイミングを予定の種類に関連付けるデータであって、図５に示すように、予定の種類と、主体と、一括設定の種類と、タイミングと、通知と、表示とを含む。
【００３２】
予定の種類は、カレンダスケジュールデータ１０６に含まれる予定の種類と同様の情報である。主体は、家族の構成員の中の１人又は複数を示す情報である。一括設定の種類及びタイミングは、それぞれ、上述の内容を示す情報である。
【００３３】
通知は、予定の種類に関連付けられる一括設定の種類ごとに、一括設定の種類に含まれる制御を実行する旨の通知をユーザへするか否か、通知をする場合には、いつ誰に通知するかを定める情報である。通知は例えばユーザの端末装置１０３へメールを送信することで行われ、例えば１０分前（全員）は、それが連動定義データ１０８にて関連付けられたタイミングの１０分前に、連動定義データ１０８にて関連付けられた主体の「全員」へ送信することを表す。なお、通知は、それが連動定義データ１０８にて関連付けられたタイミングの前に限られず、そのタイミングと同時であってもよく、そのタイミングの後であってもよい。
【００３４】
表示は、予定の種類に関連付けられる一括設定の種類ごとに、その一括設定に含まれる制御を実行される旨を表示部１１１に、例えばその制御が実行される前に表示するか否かを定める情報である。
【００３５】
一括設定定義データ１０９は、一括設定の内容を定義するデータであって、図６に示すように、一括設定の種類と、その一括設定の種類において一括設定の対象となる区画、制御対象機器、制御内容、設定条件及び制御条件とを含む。
【００３６】
一括設定の種類は、上述の内容を示す情報である。区画は、電気機器管理装置１０２の制御対象領域内に予め設定される領域を特定するための情報であり、本実施の形態では、制御対象領域である住宅Ａを分割した領域である部屋を特定するための情報である。制御対象機器は、一括設定の対象となる電気機器１０１であって、一括設定定義データ１０９において関連付けられた区画に設置されているものである。制御内容は、関連付けられた電気機器１０１に実施する制御の内容を示す情報である。
【００３７】
設定条件は、一括設定定義データ１０９にて区画に関連付けられた電気機器（制御対象機器）を一括設定の対象としての制御対象機器とするか否かを決定するために、その電気機器に対応付けられた条件である。設定条件は、区画データ１１０にて区画に関連付けられたユーザとスケジュールデータ１０６ａに含まれるユーザとの関係により定められる。
【００３８】
例えば、「全員」は、関連付けられた区画を利用するユーザのすべてが、予定によれば住宅Ａに不在であることを条件に、それに関連付けられた電気機器を一括設定の対象とする、すなわち、制御対象機器とすることを示す。「１人以上」は、関連付けられた区画を利用するユーザの少なくとも１人が、予定によれば在宅であることを条件に、それに関連付けられた電気機器を一括設定の対象とする、すなわち、制御対象機器とすることを示す。
【００３９】
制御条件は、関連付けられた制御対象機器に対する制御を実際に実施するか否かを判断するための条件である。
【００４０】
区画データ１１０は、部屋を利用するユーザを示すデータであって、図７に示すように、部屋とユーザとを関連付けるものである。同図に示す区画データ１１０は、例えばリビングを利用するユーザが、父と母と子と犬であることなどを示す。
【００４１】
表示部１１１は、例えば液晶ディスプレイなどから構成され、画像、文字など表示する。表示部１１１は、図２に示すように、カレンダスケジュールデータ１０６を参照して、例えば家族の予定と予定に連動して設定された制御スケジュールとを関連付けたカレンダを表示する。カレンダの表示単位は、望ましくは、ユーザの指示などに応じて日・週・月などと切り替えられる。
【００４２】
入力部１１２は、例えばタッチパネル、ボタンなどから構成され、家族による予定の入力などを受け付ける。
【００４３】
ユーザスケジュール登録部１１３は、入力部１１２へのユーザ入力に基づいて、ユーザスケジュールデータ１０６ａを作成して記憶部１０４に格納する。
【００４４】
ユーザスケジュール取得部１１４は、記憶部１０４に格納されたカレンダスケジュールデータ１０６を監視する。そして、ユーザスケジュール取得部１１４は、ユーザスケジュール登録部１１３によりユーザスケジュールデータ１０６ａが変更された場合に、そのユーザスケジュールデータ１０６ａを記憶部１０４から取得する。なお、ユーザスケジュール取得部１１４は、ユーザスケジュール登録部１１３がユーザスケジュールデータ１０６ａを取得した場合に、そのユーザスケジュールデータ１０６ａを、記憶部１０４を介さずにユーザスケジュール登録部１１３から直接取得してもよい。
【００４５】
連動制御判断部１１５は、ユーザの予定が入力された場合に、その予定が連動制御の対象であるか否かを判断する。詳細には、連動制御判断部１１５は、記憶部１０４に登録されたユーザスケジュールデータ１０６ａに含まれる予定の種類が、連動定義データ１０８に含まれるか否かに基づいて、そのユーザスケジュールデータ１０６ａに対応するユーザの予定が連動制御の対象であるか否かを判断する。
【００４６】
機器スケジュール設定部１１６は、ユーザにより入力された予定が連動制御の対象である場合に、その予定の種類をキーとしてユーザスケジュールデータ１０６ａと連動制御規則データ１０７とを関連付ける。そして、機器スケジュール設定部１１６は、ユーザスケジュールデータ１０６ａに含まれる始期又は終期と連動制御規則データ１０７（連動定義データ１０８）のタイミングとに応じた時刻を制御時刻とする。これによって、機器スケジュール設定部１１６は、入力された予定に応じた制御スケジュール（制御対象機器、制御内容、及び制御時刻）を設定する。
【００４７】
詳細には、機器スケジュール設定部１１６は、予定の種類及びユーザをキーとしてユーザスケジュールデータ１０６ａと連動定義データ１０８とを関連付ける。機器スケジュール設定部１１６は、一括設定の種類をキーとして連動定義データ１０８と一括設定定義データ１０９とを関連付ける。機器スケジュール設定部１１６は、区画をキーとして一括設定定義データ１０９と区画データ１１０とを関連付ける。機器スケジュール設定部１１６は、関連付けられた区画データ１１０に含まれるユーザとユーザスケジュールデータ１０６ａに含まれるユーザとが、関連付けられた一括設定定義データ１０９に含まれる設定条件を満たすか否かを判断する。これによって、機器スケジュール設定部１１６は、入力された予定に応じた、制御対象機器、制御内容、及び制御時刻を設定する。
【００４８】
機器スケジュール登録部１１７は、機器スケジュール設定部１１６により設定された制御対象機器、制御内容、及び制御時刻に、機器スケジュールＩＤと設定方法とを関連付けた機器スケジュールデータ１０５を記憶部１０４に格納する。機器スケジュールＩＤは、例えば連番であればよく、記憶部１０４に格納されている機器スケジュールデータ１０５の中で最大の機器スケジュールＩＤに１を加えたものが機器スケジュールＩＤに採用されるとよい。設定方法には、機器スケジュール設定部１１６が制御対象機器、制御内容、及び制御時刻を設定する元となった、ユーザスケジュールデータ１０６ａのカレンダＩＤと一括設定の種類とが含められる。
【００４９】
機器スケジュール登録部１１７は、入力部１１２へのユーザ入力に基づく機器スケジュールデータ１０５を取得すると、その機器スケジュールデータ１０５を記憶部１０４に格納する。
【００５０】
機器制御部１１８は、例えば宅内ネットワークを介して制御信号を送信することによって、住宅Ａに設置される電気機器１０１の各々の動作を制御する。詳細には、機器制御部１１８は、機器スケジュール設定部１１６により設定された制御内容に従って、設定された制御対象機器を設定された制御時刻に動作させる。
【００５１】
より詳細には、機器制御部１１８は、制御時刻が到来した機器スケジュールデータ１０５がある場合に、一括設定定義データ１０９を参照して、機器スケジュールデータ１０５の設定方法に含まれる一括設定の種類に対応する制御条件を抽出する。機器制御部１１８は、抽出した制御条件が満たされる場合、制御時刻が到来した機器スケジュールデータ１０５が示す制御スケジュールを実行する。抽出した制御条件が満たされない場合、機器制御部１１８は、制御時刻が到来した機器スケジュールデータ１０５が示す制御スケジュールを実行しない。
【００５２】
例えば、図３Ｂの機器スケジュールデータ１０５の例では、「２０１３年７月１７日１２時００分」になると、機器制御部１１８は、「機器スケジュールＩＤ」が「２２」の機器スケジュールデータ１０５の「一括設定の種類」を抽出する。機器制御部１１８は、抽出した「一括設定の種類」である「来客」を含む一括設定定義データ１０９を参照する。図６に示す一括設定定義データ１０９であるとすると、機器制御部１１８は、冷蔵庫１０１ｄ＿５の「給水量」が予め定められた閾値以上「あり」、「氷量」が「閾値以下」である場合に、「機器スケジュールＩＤ」が「２２」である機器スケジュールデータ１０５の制御スケジュール（冷蔵庫の製氷加速）を実行する。
【００５３】
制御カレンダ作成部１１９は、機器スケジュール設定部１１６が制御スケジュールを設定する元となった一括設定の種類に、連動定義データ１０８において、表示することが関連付けられている場合に、その一括設定の種類と、時刻と、カレンダＩＤと、主体とを関連付けたカレンダスケジュールデータ１０６（制御スケジュールデータ１０６ｂ）を作成し、記憶部１０４に格納する。この時刻には、例えば、一括設定に含まれる制御を実行する時刻、その時刻を決定するために採用された基準時（すなわち、ユーザスケジュールデータ１０６ａに含まれる始期又は終期）などが採用されるとよい。カレンダＩＤは、例えば連番であればよく、記憶部１０４に格納されているカレンダスケジュールデータ１０６の中で最大のカレンダＩＤに１を加えたものがカレンダＩＤに採用されるとよい。主体には、電気機器管理装置１０２の予定であることを示す予め定めた情報、例えば「装置」が設定されるよい。図４において、カレンダＩＤが２，３，５であるカレンダスケジュールデータ１０６（制御スケジュールデータ１０６ｂ）は、制御カレンダ作成部１１９により作成されたものの例である。
【００５４】
通知スケジュール作成部１２０は、機器スケジュール設定部１１６が制御スケジュールを設定する元となった一括設定の種類に、連動定義データ１０８において、通知することが関連付けられている場合に、連動定義データ１０８が示す通知の内容に従って、その連動定義データ１０８の一括設定の種類に含まれる制御が実行されることをユーザへ通知するための、機器スケジュールデータ１０５を作成して記憶部１０４に格納する。図３において、機器スケジュールＩＤが１１，１２，２３である機器スケジュールデータ１０５は、通知スケジュール作成部１２０により作成されたものの例である。
【００５５】
例えば、図示しないメール送信部は、制御対象機器が「メール通知」である機器スケジュールデータ１０５の「制御時刻」が到来したことを検知すると、一括設定に含まれる制御が実行されることを知らせるためのメールを作成する。メール送信部は、作成したメールをユーザの端末装置１０３へ送信する。これにより、ユーザは、一括設定に含まれる制御が実行されることを知ることができる。そして、必要に応じて、ユーザは、予定の変更を示す情報、機器スケジュールデータ１０５の変更する指示などを、例えば端末装置１０３から電気機器管理装置１０２へ送信するとよい。
【００５６】
上述の各処理部１１３〜１２０は、例えばＲＯＭ（Read Only Memory）に予め格納されたソフトウェアプログラムを、ＲＡＭ（Random Access Memory）を作業領域として動作するプロセッサにより実現される。
【００５７】
これまで、本実施の形態に係る電気機器管理装置１０２の構成について説明した。ここから、電気機器管理装置１０２が実行する処理について説明する。
【００５８】
電気機器管理装置１０２は、例えばユーザが予定を入力する旨の指示を入力部１１２に受け付けると、図８に示すカレンダスケジュール登録処理を実行する。
【００５９】
入力部１１２は、予定の種類、その予定に関連する主体（ユーザ）、及び、予定タイトルを受け付け（ステップＳ１０１）、予定の始期及び終期からなる時期を受け付けると（ステップＳ１０２）、予定の繰り返し設定がなされたか否かを判断する（ステップＳ１０３）。ここで繰り返し設定とは、ステップＳ１０１及びステップＳ１０２で受け付けた予定が繰り返されることを示すユーザスケジュールデータ１０６ａを作成することの設定である。
【００６０】
繰り返し設定がなされていないと判断した場合（ステップＳ１０３；Ｎｏ）、入力部１１２は、ステップＳ１０１及びステップＳ１０２で受け付けた予定を示すユーザスケジュールデータ１０６ａを作成する（ステップＳ１０４）。
【００６１】
繰り返し設定がなされたと判断した場合（ステップＳ１０３；Ｙｅｓ）、繰り返しの種類が選択されたか否かを判断する（ステップＳ１０５）。ここで、繰り返しの種類には、例えば入力した予定を毎日繰り返す、特定の曜日のみ繰り返す、平日のみ繰り返すなどがある。
【００６２】
繰り返しの種類が選択されていないと判断した場合（ステップＳ１０５；Ｎｏ）、入力部１１２は、ステップＳ１０３を繰り返し実行する。繰り返しの種類が選択されたと判断した場合（ステップＳ１０５；Ｙｅｓ）、ステップＳ１０１及びステップＳ１０２で受け付けた予定に基づいて、選択された繰り返しの種類に応じたユーザスケジュールデータ１０６ａを作成する（ステップＳ１０６）。
【００６３】
入力部１１２は、登録確認画面を表示部１１１に表示させ、それに対してユーザから登録指示を受け付けたか否かを判断する（ステップＳ１０７）。
【００６４】
登録指示を受け付けていないと判断した場合（ステップＳ１０７；Ｎｏ）、予定の入力がキャンセルされたとみなして、入力部１１２は、ユーザスケジュール登録処理を終了する。登録指示を受け付けたと判断した場合（ステップＳ１０７；Ｙｅｓ）、入力部１１２は、作成したユーザスケジュールデータ１０６ａをユーザスケジュール登録部１１３に引き渡す。ユーザスケジュール登録部１１３は、入力部１１２から取得したユーザスケジュールデータ１０６ａを記憶部１０４に格納し（ステップＳ１０８）、ユーザスケジュール登録処理を終了する。これにより、ユーザが入力した予定が、カレンダスケジュールデータ１０６として、記憶部１０４に格納される。
【００６５】
電気機器管理装置１０２は、例えばユーザが予定を入力すると、図９及び１０に示す連動制御処理を実行する。例えば、ユーザスケジュール取得部１１４が、記憶部１０４のカレンダスケジュールデータ１０６を監視し、ユーザスケジュールデータ１０６ａが更新されたことを検出した場合に、ユーザが予定を入力したと判定される。
【００６６】
連動制御判断部１１５は、ユーザが入力した予定に対応するユーザスケジュールデータ１０６ａをユーザスケジュール取得部１１４から取得すると、そのユーザスケジュールデータ１０６ａと同じ予定の種類を含む連動定義データ１０８を記憶部１０４から抽出する（ステップＳ１１１）。連動制御判断部１１５は、ステップＳ１１１にて抽出された連動定義データ１０８の有無に応じて、入力された予定に連動制御の対象があるか否かを判断する（ステップＳ１１２）。
【００６７】
ステップＳ１１１にて抽出された連動定義データ１０８がない場合、連動制御判断部１１５は、連動制御の対象がないと判断し（ステップＳ１１２；Ｎｏ）、連動制御処理を終了する。ステップＳ１１１にて抽出された連動定義データ１０８がある場合、連動制御判断部１１５は、連動制御の対象があると判断し（ステップＳ１１２；Ｙｅｓ）、抽出された連動定義データ１０８を機器スケジュール設定部１１６に引き渡す。
【００６８】
機器スケジュール設定部１１６は、連動制御判断部１１５から取得した連動定義データ１０８と同じ一括設定の種類を含む一括設定定義データ１０９を記憶部１０４から抽出する（ステップＳ１１３）。抽出したすべての一括設定定義データ１０９について、一括設定定義データ１０９は、ステップＳ１１５〜ステップＳ１２５を繰り返す（ループＡ；ステップＳ１１４）。
【００６９】
機器スケジュール設定部１１６は、処理対象の一括設定定義データ１０９が設定条件を含むか否かを判断する（ステップＳ１１５）。設定条件を含むと判断した場合（ステップＳ１１５；Ｙｅｓ）、機器スケジュール設定部１１６は、処理対象の一括設定定義データ１０９に含まれる区画を利用するすべてのユーザを、記憶部１０４に格納されている区画データ１１０を参照することによって特定する（ステップＳ１１６）。
【００７０】
機器スケジュール設定部１１６は、設定条件を満たすか否かを判断する（ステップＳ１１７）。例えば、ステップＳ１１６で特定したユーザとユーザが入力したユーザスケジュールデータ１０６ａに含まれる主体とを対比することによって、設定条件を満たすか否かが判断される。
【００７１】
詳細には例えば、設定条件は、全員又は特定の者以外についてのＡＮＤ条件（第１の設定条件）、全員又は特定の者以外についてのＯＲ条件（第２の設定条件）などで表される。ステップＳ１１６で特定したユーザに設定条件を適用した集合が、予定に関連するユーザに含まれる場合に、設定条件を満たすと判断する。また、ステップＳ１１６で特定したユーザに設定条件を適用した集合が、予定に関連するユーザに含まれない場合に、設定条件を満たさないと判断する。
【００７２】
より詳細には、第１の設定条件は、ユーザスケジュールデータ１０６ａに含まれるユーザに、ステップＳ１１６で特定したユーザの一部又は全部のすべてが含まれることを示す設定条件である。従って、ユーザスケジュールデータ１０６ａに含まれるユーザに、ステップＳ１１６で特定したユーザの一部又は全部のすべてが含まれる場合に、その第１の設定条件は、満たすと判断され、それ以外の場合に、その第１の設定条件は、満たさないと判断される。
【００７３】
第２の設定条件は、ユーザスケジュールデータ１０６ａに含まれるユーザに、ステップＳ１１６で特定したユーザの一部又は全部のいずれか１人が含まれることを示す設定条件である。従って、ユーザスケジュールデータ１０６ａに含まれるユーザに、ステップＳ１１６で特定したユーザの一部又は全部のいずれか１人が含まれる場合に、その第２の設定条件は、満たすと判断され、それ以外の場合に、その第２の設定条件は、満たさないと判断される。
【００７４】
設定条件を満たさないと判断した場合（ステップＳ１１７；Ｎｏ）、機器スケジュール設定部１１６は、現在の処理対象の一括設定定義データ１０９についてループＡ（ステップＳ１１４）の処理を終了し、未処理の一括設定定義データ１０９がある場合には、その一括設定定義データ１０９についてループＡ（ステップＳ１１４）の処理が実行される。未処理の一括設定定義データ１０９がない場合、機器スケジュール設定部１１６は、連動制御処理を終了する。
【００７５】
設定条件を満たすと判断した場合（ステップＳ１１７；Ｙｅｓ）、機器スケジュール設定部１１６は、現在の処理対象の一括設定定義データ１０９に含まれる制御対象機器を、制御対象機器として設定する（ステップＳ１１８）。機器スケジュール設定部１１６は、現在の処理対象の一括設定定義データ１０９に含まれる制御内容を、制御内容として設定する（ステップＳ１１９）。
【００７６】
機器スケジュール設定部１１６は、ステップＳ１１１にて抽出された連動定義データ１０８を参照し、現在の処理対象の一括設定定義データ１０９と同じ一括設定の種類に関連付けられたタイミングを抽出する。機器スケジュール設定部１１６は、ユーザが入力した予定に対応するユーザスケジュールデータ１０６ａ、すなわち、現在の処理対象の一括設定定義データ１０９の元となったユーザスケジュールデータ１０６ａに含まれる始期及び終期を抽出する。機器スケジュール設定部１１６は、抽出したタイミングと始期及び終期に基づいて、ステップＳ１１８及びステップＳ１１９にて設定した制御内容に応じた制御対象機器に対する制御を実施する日時を算出する。機器スケジュール設定部１１６は、算出した日時を制御時刻として設定する（ステップＳ１２０）。
【００７７】
機器スケジュール設定部１１６は、ステップＳ１１８〜ステップＳ１２０にて設定した制御スケジュール（制御対象機器、制御内容及び制御時刻）を示す情報を機器スケジュール登録部１１７へ引き渡す。機器スケジュール登録部１１７は、機器スケジュール設定部１１６から取得した制御対象機器、制御内容及び制御時刻に、機器スケジュールＩＤと設定方法とを関連付ける。機器スケジュール登録部１１７は、制御対象機器、制御内容、制御時刻、機器スケジュールＩＤ及び設定方法を関連付けた機器スケジュールデータ１０５を記憶部１０４に格納する（ステップＳ１２１）。
【００７８】
通知スケジュール作成部１２０は、ステップＳ１１１にて抽出された連動定義データ１０８を参照し、現在の処理対象の一括設定定義データ１０９と同じ一括設定の種類に関連付けられている通知の内容を参照する。通知スケジュール作成部１２０は、参照した通知の内容に基づいて、通知が必要か否かを判断する（ステップＳ１２２）。
【００７９】
通知が必要であると判断した場合（ステップＳ１２２；Ｙｅｓ）、通知スケジュール作成部１２０は、その通知に連動定義データ１０８において関連付けられているタイミングと、その通知の内容とに基づいて、通知を送信する時刻を算出する。通知スケジュール作成部１２０は、算出した時刻と、その通知に連動定義データ１０８において関連付けられている一括設定の種類に含まれる制御が実行されることとを含む通知スケジュールを作成する（ステップＳ１２３）。通知スケジュール作成部１２０は、作成した通知スケジュールに、機器スケジュールＩＤと、制御対象機器「メール通知」とを関連付けた機器スケジュールデータ１０５を作成して、記憶部１０４に格納する。ここでも、機器スケジュールＩＤは、上述のように連番で付されるとよい。
【００８０】
通知が必要でないと判断した場合（ステップＳ１２２；Ｎｏ）、又は、ステップＳ１２３の後に、制御カレンダ作成部１１９は、ステップＳ１１１にて抽出された連動定義データ１０８を参照し、現在の処理対象の一括設定定義データ１０９と同じ一括設定の種類に関連付けられている表示の内容を参照する。通知スケジュール作成部１２０は、参照した表示の内容に基づいて、表示が必要か否かを判断する（ステップＳ１２４）。
【００８１】
表示が必要であると判断した場合（ステップＳ１２４；Ｙｅｓ）、制御カレンダ作成部１１９は、その表示に連動定義データ１０８において関連付けられている一括設定の種類と、時刻とを含む制御カレンダを作成する（ステップＳ１２５）。
【００８２】
この時刻には、例えば、一括設定の種類に含まれる制御が実行される時刻である。この場合、制御カレンダ作成部１１９は、一括設定の種類に連動定義データ１０８において関連付けられているタイミングと、現在の処理対象の一括設定定義データ１０９の元となったユーザスケジュールデータ１０６ａに含まれる始期及び終期とに基づいて、時刻を算出する。制御カレンダ作成部１１９は、作成した制御カレンダに、カレンダＩＤと、主体「装置」とを関連付けたカレンダスケジュールデータ１０６（制御スケジュールデータ１０６ｂ）を作成して、記憶部１０４に格納する。ここでも、カレンダＩＤは、上述のように連番で付されるとよい。
【００８３】
表示が必要でないと判断した場合（ステップＳ１２４；Ｎｏ）、又は、ステップＳ１２５の後に、制御カレンダ作成部１１９は、現在の処理対象の一括設定定義データ１０９についてループＡ（ステップＳ１１４）の処理を終了し、未処理の一括設定定義データ１０９がある場合には、その一括設定定義データ１０９についてループＡ（ステップＳ１１４）の処理が実行される。未処理の一括設定定義データ１０９がない場合、制御カレンダ作成部１１９は、連動制御処理を終了する。
【００８４】
本実施の形態に係る電気機器管理装置１０２が実行する処理について説明した。
【００８５】
例えば、ユーザスケジュール登録処理を実行することによって、図４に示すカレンダＩＤが１，４，６〜１０であるユーザスケジュールデータ１０６ａが登録される。これらのユーザスケジュールデータ１０６ａの各々が入力されると、電気機器管理装置１０２は、連動制御処理を実行する。これにより、図３に示す機器スケジュールデータ１０５が記憶部１０４に格納される。また、図４に示すカレンダＩＤが２，３，５であるカレンダスケジュールデータ１０６（制御スケジュールデータ１０６ｂ）が登録される。
【００８６】
そして、表示部１１１は、図４に示すカレンダスケジュールデータ１０６を参照して、例えば図１１に示す画像を表示する。これにより、ユーザは、予め設定した一括設定に含まれる制御がいつ実行されるかを容易に知ることができる。予定が表示されている領域を押下することにより、具体的な制御対象装置など詳細な情報が表示されるとよい。
【００８７】
なお、例えばＩＨＣＨ１０１ｃ＿５には、電源がＯＦＦ（切）であると待機電力が０となるものがある。このような電気機器１０１では、ユーザが電源を切って出かけた場合、電気機器管理装置１０２がユーザの外出に応じてＯＦＦの制御信号を送信しても、その信号を受信することができないものがある。この場合、電源が切られているので安全かつ無駄な電力の消費もないようにも思えるが、家に独りで残っている子供が誤ってＩＨＣＨ１０１ｃ＿５の電源を入れると、ＩＨＣＨ１０１ｃ＿５が動作を開始してしまう。
【００８８】
そのため、ＩＨＣＨ１０１ｃ＿５などには、例えば電池で動作する通信アダプタが搭載されるとよい。そして、ＩＨＣＨ１０１ｃ＿５の電源がＯＦＦである場合、通信アダプタが、電気機器管理装置１０２からの制御信号をバッファリングし、ＩＨＣＨ１０１ｃ＿５の電源がＯＮ（入）に切り替えられて動作を開始する前に、バッファリングしている制御信号をＩＨＣＨ１０１ｃ＿５へ送信するとよい。或いは、電気機器管理装置１０２が制御信号をバッファリングし、ＩＨＣＨ１０１ｃ＿５が動作を開始したことを検出すると、バッファリングしている制御信号をＩＨＣＨ１０１ｃ＿５へ送信してもよい。或いは、ＩＨＣＨ１０１ｃ＿５の動作を開始させる際には、常に通信アダプタを経由して指示を与えるようにしてもよい。これらの構成によれば、子供が誤ってＩＨＣＨ１０１ｃ＿５の電源を入れた場合であっても、電気機器管理装置１０２からの制御信号によりその動作を制御することができる。
【００８９】
なお、入力部１１２からの入力に基づいて作成された機器スケジュールデータ１０５と、予定の入力に応じて作成された機器スケジュールデータ１０５とで、両立し得ない関係が生じた場合、例えば後に作成されたものを優先的に適用し、先に作成されたものを破棄してもよい。
【００９０】
なお、電気機器１０１を操作するためのリモートコントローラが、本発明に係る電気機器管理装置として、本実施の形態に係る電気機器管理装置１０２が備える機能を備え、また、本実施の形態に係る電気機器管理装置１０２が実行する処理を行ってもよい。この場合、リモートコントローラが、上述したように、ユーザの予定に従って機器スケジュールデータ１０５を作成して制御する。リモートコントローラの制御対象は、住宅Ａに設置される電気機器１０１のうちの１台（例えば、空調機１０１ｂ＿４）を主たる制御対象としつつ、他の電気機器１０１の一部（例えば、空調機１０１ｂ＿３、照明機器１０１ａ＿４、１０１ａ＿５、冷蔵庫１０１ｄ＿５など）又は全部であってもよい。また、リモートコントローラの制御対象は、住宅Ａに設置される電気機器１０１のうちの１台（例えば、空調機１０１ｂ＿４）のみであってもよく、この場合の機器スケジュールデータ１０５は、その１台（例えば、空調機１０１ｂ＿４）のみに関する情報を含めばよい。
【００９１】
なお、電気機器１０１自体（例えば、空調機１０１ｂ＿４）が、本発明に係る電気機器として、本実施の形態に係る電気機器管理装置１０２が備える機能を備え、本実施の形態に係る電気機器管理装置１０２が実行する処理を行ってもよい。この場合、電気機器１０１自体（例えば、空調機１０１ｂ＿４）が、上述したように、ユーザの予定に従って機器スケジュールデータ１０５を作成して制御する。この電気機器１０１（例えば、空調機１０１ｂ＿４）が、他の電気機器１０１の一部（例えば、空調機１０１ｂ＿３、照明機器１０１ａ＿４、１０１ａ＿５、冷蔵庫１０１ｄ＿５など）又は全部を制御する機能を備えてもよい。
【００９２】
なお、端末装置１０３が、本発明に係る端末装置として、本実施の形態に係る電気機器管理装置１０２が備える機能を備え、また、本実施の形態に係る電気機器管理装置１０２が実行する処理を行ってもよい。詳細には、端末装置１０３は、インストールされたプログラムを実行することで、本実施の形態に係る電気機器管理装置１０２が備える機能を実現し、また、本実施の形態に係る電気機器管理装置１０２が実行する処理を行うとよい。
【００９３】
この場合、端末装置１０３は、電気機器１０１の各々と、宅内ネットワークを介して通信してもよく、直接に通信してもよい。さらに、端末装置１０３は、インターネットなどの外部ネットワークを介して、電気機器１０１の各々と通信してもよい。電気機器１０１の各々は、直接に外部ネットワークに接続されてもよく、宅内ネットワークを介して接続されてもよい。
【００９４】
本実施の形態によれば、家族の誰かが予定を入力すれば、それに応じて機器スケジュールデータ１０５が作成され、機器スケジュールデータ１０５に従って電気機器１０１の動作が自動的に制御される。これにより、ユーザが、快適性と省エネルギとを意識して電気機器１０１を操作しなくても、電気機器１０１を適切かつ確実に動作させることができる。従って、ユーザが意識的に電気機器１０１を操作しなくても、ユーザが所望する快適性を維持しつつエネルギの消費量を抑制することが可能になる。
【００９５】
本実施の形態によれば、連動制御規則データ１０７では、予定の内容と、その予定に関連するユーザと、連動制御規則とが関連付けられている。
【００９６】
そのため、機器スケジュール設定部１１６は、ユーザスケジュールデータ１０６ａに含まれるユーザの予定及びその予定に関連するユーザに応じた制御スケジュールを設定することができる。すなわち、予定の内容だけでなく、予定に関連するユーザにも応じた制御スケジュールが設定される。これにより、ユーザが意識的に電気機器１０１を操作しなくても、適切に、ユーザが所望する快適性を維持しつつエネルギの消費量を抑制することが可能になる。
【００９７】
なお、本実施の形態において、連動制御規則は、連動定義データ１０８の一括設定の種類及びタイミングと、この一括設定の種類により関連付けられる一括設定定義データ１０９に含まれる各情報と、必要に応じて、区画データ１１０に含まれる各情報とに相当する。
【００９８】
一括設定定義データ１０９は設定条件を含むので、区画に利用者（区画データ１１０にて区画に関連付けられたユーザ）が宅内に居るか居ないかに応じて、区画に設置されている電気機器１０１の動作を適切に制御することができる。また、異なる設定条件のそれぞれに異なる制御内容を対応付けることで、実行される制御内容を設定条件に応じて変えることができるので、区画に設置されている電気機器１０１の動作をより適切に制御することができる。
【００９９】
例えば、家族全員（父、母、子、犬）が家族旅行に出かける予定が登録されたとする。
【０１００】
この場合、図５の連動定義データ１０８を参照すると、例えば「外出」などの「一括設定の種類」に応じた制御スケジュールが設定される。「外出」という「一括設定の種類」について図６の一括設定定義データ１０９を参照すると、「リビング」という「区画」には、「制御対象機器」として、「リビング照明」と「リビング空調機」とが関連付けられている。また、「リビング照明」には、「設定条件」として、「犬以外の全員」（すなわち、犬以外についてＡＮＤ条件）が関連付けられている。「リビング空調機」には、「設定条件」として、「全員」（すなわち、全員についてＡＮＤ条件）とが関連付けられている。
【０１０１】
この例の予定に関連するユーザは、家族全員（父、母、子、犬）である。また、図７に示す区画データ１１０にて、「リビング」という「区画」には、「ユーザ」として「父、母、子、犬」が関連付けられている。そのため、「犬以外の全員」という「設定条件」は、父と母と子とが予定に関連するユーザに含まれることを意味する。「全員」という「設定条件」は、父と母と子と犬とが予定に関連するユーザに含まれることを意味する。この例では、いずれの設定条件も満たされるので、「リビング照明」と「リビング空調機」とはいずれも、制御対象機器として決定される。そして、これらの制御対象機器について、図６に示す一括設定定義データ１０９に従って、「ＯＦＦ」（運転の停止であり）という「制御内容」の制御スケジュールが設定される。なお、「ＯＦＦ」という「制御内容」は、第１の設定条件が満たされた場合に設定される制御内容である「第１の制御」の一例である。
【０１０２】
例えば、犬以外の家族全員（父、母、子）が出かける予定が登録されたとする。そして、この予定に連動して、図６に示す一括設定定義データ１０９の「外出」という「一括設定の種類」に応じた制御スケジュールが設定されるとする。「リビング」という「区画」については、上の例と同様に、「犬以外の全員」という「設定条件」は、父と母と子とが予定に関連するユーザに含まれることを意味する。「全員」という「設定条件」は、予定に関連するユーザに含まれることを意味する。そのため、「犬以外の全員」という「設定条件」は満たされるが、「全員」という「設定条件」は満たされない。従って、「リビング照明」は制御対象機器として決定されるが、「リビング空調機」は制御対象機器ではないと決定される。
【０１０３】
その結果、図６に示す一括設定定義データ１０９に従って、「リビング照明」に「ＯＦＦ」（運転の停止）という「制御内容」の制御スケジュールが設定される。
【０１０４】
一方、「リビング空調機」には「ＯＦＦ」（運転の停止）という「制御内容」の制御スケジュールが設定されない。そのため、制御時刻にリビング空調機１０１ｂ＿４が運転していた場合、予定に従って犬以外の家族全員が出かけても、リビング空調機１０１ｂ＿４は運転を継続することになる。これにより、例えば夏にリビング空調機１０１ｂ＿４が停止して、宅内に残された犬が熱中症になることを防ぐことができる。
【０１０５】
例えば、父と母が出かける予定が登録されたとする。そして、この予定に連動して、図６に示す一括設定定義データ１０９の「外出」という「一括設定の種類」に応じた制御スケジュールが設定されたとする。「外出」という「一括設定の種類」について図６の一括設定定義データ１０９を参照すると、「キッチン」という「区画」には、「制御対象機器」として、「キッチン照明」と「ＩＨＣＨ」とが関連付けられている。また、「キッチン照明」には、「設定条件」として、「全員」（すなわち、全員についてＡＮＤ条件）が関連付けられている。「ＩＨＣＨ」には、「設定条件」として、「子以外の全員」（すなわち、子以外についてＡＮＤ条件）とが関連付けられている。
【０１０６】
この例の予定に関連するユーザは、家族全員（父、母）である。また、図７に示す区画データ１１０にて、「キッチン」という「区画」には、「ユーザ」として「父、母、子」が関連付けられている。そのため、「全員」という「設定条件」は、父と母と子とが予定に関連するユーザに含まれることを意味する。「子以外の全員」という「設定条件」は、父と母とが予定に関連するユーザに含まれることを意味する。この例では、「全員」という「設定条件」は満たされないが、「子以外の全員」という「設定条件」は満たされる。従って、「キッチン照明」は制御対象機器ではないと決定されるが、「ＩＨＣＨ」は制御対象機器として決定される。
【０１０７】
その結果、「キッチン照明」に「ＯＦＦ」（運転の停止）という「制御内容」の制御スケジュールが設定されない。
【０１０８】
一方、「ＩＨＣＨ」には、図６に示す一括設定定義データ１０９に従って、「ＯＦＦ（ロック）」（運転の停止と、運転させないようにロックを掛ける）という「制御内容」の制御スケジュールが設定される。このロックは、例えば特定のボタンを予め定められた時間以上押さえるなどの特定の操作により解除されるとよい。これにより、子供だけが宅内に残った場合に、誤ってＩＨＣＨ１０１ｃ＿５を運転させる危険を減らすことができる。なお、「ＯＦＦ（ロック）」という「制御内容」は、第１の設定条件が満たされた場合に設定される制御内容であって、「第１の制御」とは異なる「第３の制御」の一例である。
【０１０９】
例えば、家族全員（父、母、子、犬）で外出した後、家族の１人（例えば、子）が先に帰宅する予定が登録されとする。そして、この予定に連動して、図６に示す一括設定定義データ１０９の「帰宅」という「一括設定の種類」に応じた制御スケジュールが設定されるとする。「帰宅」という「一括設定の種類」について図６の一括設定定義データ１０９を参照すると、「リビング」という「区画」に、「制御対象機器」として、「リビング空調機」が関連付けられている。また、「リビング空調機」には、「設定条件」として、「１人以上」（すなわち、全員についてＯＲ条件）が関連付けられている。
【０１１０】
この例の予定に関連するユーザは、子である。また、図７に示す区画データ１１０にて、「リビング」という「区画」には、「ユーザ」として「父、母、子、犬」が関連付けられている。そのため、「１人以上」という「設定条件」は、父、母、子又は犬が予定に関連するユーザに含まれることを意味する。この例では、「１人以上」という「設定条件」は満たされる。従って、「リビング空調機」は制御対象機器として決定される。その結果、「リビング空調機」に「１０分前にＯＮ」（運転の開始）という「制御内容」の制御スケジュールが設定される。なお、「ＯＮ」という「制御内容」は、第２の設定条件が満たされた場合に設定される制御内容であって、「第１の制御」及び「第３の制御」のいずれとも異なる「第２の制御」の一例である。
【０１１１】
これにより、家族全員が留守である場合であっても、家族の１人が帰宅する予定があれば、帰宅前の適切な時刻からリビング空調機の運転を開始させてリビングを快適な環境にしておくことができる。
【０１１２】
なお、ＯＲ条件の場合も、ＡＮＤ条件の場合と同様に、特定のユーザ以外についてＯＲ条件とする設定条件が定められてもよい。
【０１１３】
このように、本実施の形態では、区画データ１１０と設定条件とを採用する。これによって、ユーザの予定が登録するだけで、予定に関連するユーザが利用する区画に設置された電気機器１０１の動作を確実かつ適切に制御することができる。そのため、例えば、家電機器１０１を停止させるのを忘れて外出した場合であっても、確実に、予定に関連するユーザに応じた適切な電気機器１０１の運転を停止させることができる。また、帰宅前に運転を開始させるためのタイマ設定をせずに外出した場合であっても、確実に、かつ、適切な時刻から、予定に関連するユーザに応じた適切な電気機器１０１の運転を開始させることができる。従って、ユーザが意識的に電気機器１０１を操作しなくても、ユーザが所望する快適性を維持しつつエネルギの消費量を抑制することが可能になる。
【０１１４】
本実施の形態によれば、連動制御規則データ１０７が一括設定定義データ１０９を含む。これにより、ユーザの動作、出来事などと時間的な関連性をもって実行される制御をまとめて管理し、適切に電気機器１０１を動作させることができる。従って、ユーザが所望する快適性を維持しつつエネルギの消費量を抑制するための連動制御規則データ１０７の管理や設定を容易にすることが可能になる。
【０１１５】
上述のように、予定の内容は、予定の種類と予定タイトルとの少なくとも一方を含めばよい。これにより、適切に分類された予定の内容に応じて制御スケジュールを設定することができる。従って、ユーザが所望する快適性を維持しつつエネルギの消費量を抑制するための連動制御規則データ１０７の管理や設定を容易にすることが可能になる。
【０１１６】
一括設定定義データ１０９は制御条件を含むので、制御対象機器の各々について、一括設定の下で実際にその動作を制御するか否かを、きめ細かに設定することができる。これにより、ユーザの複雑な要望に適切に応えて、ユーザが所望する快適性を維持しつつエネルギの消費量を抑制することが可能になる。
【０１１７】
（変形例１）
実施の形態１では、区画データ１１０が、設定条件を満たすか否かの判定に用いられる例を説明した。しかし、設定条件を採用せずに、区画データ１１０に基づいて、制御対象機器が決定されてもよい。
【０１１８】
詳細には、機器スケジュール設定部１１６は、ユーザスケジュールデータ１０６ａに含まれるユーザに区画データ１１０にて関連付けられた区画を特定する。そして、機器スケジュール設定部１１６は、特定した区画に連動制御規則データ１０７（一括設定定義データ１０９）にて関連付けられた電気機器（制御対象機器）を特定する。これにより特定した電気機器を、機器スケジュール設定部１１６は、制御対象機器として決定するとよい。
【０１１９】
この変形例によれば、設定条件を採用しなくても、予定に関連するユーザが利用する区画に設置された電気機器のうち、適切なものを制御対象機器として決定することができる。そのため、ユーザが意識的に電気機器１０１を操作しなくても、適切に、ユーザが所望する快適性を維持しつつエネルギの消費量を抑制することが可能になる。
【０１２０】
（変形例２）
変形例１では、設定条件を採用しないこととした。しかし、変形例１に、さらに、設定条件を採用してもよい。詳細には、機器スケジュール設定部１１６は、変形例１と同様の処理により特定した電気機器のうち、対応する設定条件を満たすものを制御対象機器として決定するとよい。
【０１２１】
本変形例によれば、予定に関連するユーザが利用する区画に設置された電気機器のうち、より適切な電気機器を制御対象機器として決定することができる。そのため、ユーザが意識的に電気機器１０１を操作しなくても、より適切に、ユーザが所望する快適性を維持しつつエネルギの消費量を抑制することが可能になる。また、異なる設定条件に応じて制御内容を変えることで、区画に設置されている電気機器１０１の動作をより適切に制御することができる。これにより、ユーザが意識的に電気機器１０１を操作しなくても、より適切に、ユーザが所望する快適性を維持しつつエネルギの消費量を抑制することが可能になる。
【０１２２】
実施の形態２．
本実施の形態に係る電気機器管理システム２００は、図１２に示すように、インターネットなどの外部ネットワーク２２１を介して通信するサーバ装置２２２と、電気機器管理装置２０２と、端末装置２０３とから構成される。
【０１２３】
サーバ装置２２２は、電気機器管理装置２０２と同期しながら、カレンダスケジュールデータ２２３を管理する装置であって、同図に示すように、カレンダスケジュールデータ２２３と、管理データ２２４とが格納される記憶部２２５と、同期部２２６とを備える。
【０１２４】
カレンダスケジュールデータ２２３は、実施の形態１に係るカレンダスケジュールデータ１０６に加えて、電気機器管理装置ＩＤを含む。電気機器管理装置ＩＤは、住居Ａの電気機器管理装置２０２を特定するための情報であり、電気機器管理装置２０２に固有の情報がサーバ装置２２２にて適宜付与されてよい。なお、外部ネットワーク２２１におけるアドレスなどが採用されてもよい。
【０１２５】
管理データ２２４は、電気機器管理装置２０２及び端末装置２０３のそれぞれと通信するために電気機器管理装置２０２と端末装置２０３とを対応付けるデータであって、電気機器管理装置ＩＤと、端末装置ＩＤとを含む。電気機器管理装置ＩＤは、カレンダスケジュールデータ２２３のものと同様である。端末装置ＩＤは、端末装置２０３を特定するための情報である。
【０１２６】
同期部２２６は、端末装置２０３から送信されるカレンダスケジュールデータ１０６を、外部ネットワーク２２１を介して受信する。同期部２２６は、管理データ２２４を参照することによって、送信元の端末装置２０３の端末装置ＩＤを特定する。同期部２２６は、特定した端末装置ＩＤを、受信したカレンダスケジュールデータ１０６に含めたカレンダスケジュールデータ２２３を記憶部２２５に格納する。これにより、記憶部２２５のカレンダスケジュールデータ２２３が更新される。
【０１２７】
また、同期部２２６は、管理データ２２４にて送信元の端末装置２０３の端末装置ＩＤに関連付けられた電気機器管理装置ＩＤを特定する。同期部２２６は、特定した電気機器管理装置ＩＤに対応する電気機器管理装置２０２へ、端末装置２０３から受信したカレンダスケジュールデータ１０６を転送する。
【０１２８】
電気機器管理装置２０２は、図１５に示すように、住宅Ａにて実施の形態１と同様に、電気機器１０１と通信可能に構成される。電気機器管理装置２０２は、実施の形態１に係るユーザスケジュール登録部１１３及びユーザスケジュール取得部１１４に代わる、ユーザスケジュール登録部２１３及びユーザスケジュール取得部２１４を備えることを除いて、実施の形態１に係る電気機器管理装置１０２と概ね同じ構成を備える。
【０１２９】
ユーザスケジュール登録部２１３は、実施の形態１に係るユーザスケジュール登録部１１３と同様の機能を備える。加えて、ユーザスケジュール登録部２１３は、ユーザが予定を入力すると、外部ネットワーク２２１を介して、カレンダスケジュールデータ１０６（ユーザスケジュールデータ１０６ａ）をサーバ装置２２２へ送信する。
【０１３０】
ユーザスケジュール取得部２１４は、実施の形態１に係るユーザスケジュール取得部１１４が備える機能を備える、加えて、ユーザスケジュール取得部２１４は、外部ネットワーク２２１を介して、サーバ装置２２２からユーザスケジュールデータ１０６ａを取得する。ユーザスケジュール取得部２１４は、ユーザスケジュールデータ１０６ａをサーバ装置２２２から取得すると、そのユーザスケジュールデータ１０６ａをユーザスケジュール登録部２１３へ引き渡す。これにより、ユーザスケジュール登録部２１３は、サーバ装置２２２から取得されたユーザスケジュールデータ１０６ａを記憶部１０４に格納する。
【０１３１】
端末装置２０３は、ユーザ入力に基づいて、外部ネットワーク２２１を介してサーバ２２２のカレンダスケジュールデータ２２３を更新する。これにより、ユーザは宅外からカレンダスケジュールデータ２２３を更新することができる。
【０１３２】
本実施の形態によれば、ユーザは端末装置２０３を用いてサーバ装置２２２のカレンダスケジュールデータ２２３を更新することができる。サーバ装置２２２のカレンダスケジュールデータ２２３と、電気機器管理装置２０２のカレンダスケジュールデータ１０６とは同期する。これにより、ユーザは宅外からでも、電気機器管理装置２０２のカレンダスケジュールデータ１０６（ユーザスケジュールデータ１０６ａ）を更新することができ、ユーザが端末装置２０３に予定を入力するだけで、新しい予定に応じた適切な機器スケジュールデータ１０５で電気機器１０１を動作させることができる。従って、ユーザが意識的に電気機器を操作しなくても、ユーザが所望する快適性を維持しつつエネルギの消費量を抑制することが可能になる。
【０１３３】
実施の形態３．
本実施の形態に係る電気機器管理システム３００は、図１６に示すように、外部ネットワーク２２１を介して通信するサーバ装置３２２と、電気機器管理装置３０２ａ〜ｃと、端末装置２０３とから構成される。
【０１３４】
サーバ装置３２２は、実施の形態２に係るサーバ装置２２２と同様に、電気機器管理装置３０２と同期しながら、カレンダスケジュールデータ２２３を管理する、加えて、サーバ装置３２２は、カレンダスケジュールデータ３２３が示す内容の関係に応じて、電気機器管理装置３０２ａ〜ｃの各々が管理する電気機器１０１に予め定めた動作をさせる。
【０１３５】
サーバ装置３２２は、同図に示すように、カレンダスケジュールデータ３２３と、管理データ３２４とが格納される記憶部３２５と、機器管理部３２７とを備える。
【０１３６】
カレンダスケジュールデータ３２３は、図１７に示すように、実施の形態２に係るカレンダスケジュールデータ２２３と同様に構成される。カレンダスケジュールデータ３２３は、実施の形態２に係るカレンダスケジュールデータ２２３とは異なり、複数の住宅Ａ〜Ｃの予定を含む。電気機器管理装置ＩＤのＡ〜Ｃのそれぞれは、住宅Ａに設置される電気機器管理装置３０２ａ、住宅Ｂに設置される電気機器管理装置３０２ｂ、住宅Ｃに設置される電気機器管理装置３０２ｃのＩＤを示す。
【０１３７】
管理データ３２４は、電気機器管理装置３０２ａ〜ｃを管理するためのデータであって、電気機器管理装置３０２ａ〜ｃの各々の電気機器管理ＩＤに電気機器管理装置アドレスが対応付けられている。
【０１３８】
機器管理部３２７は、実施の形態２に係る同期部２２６と同様の機能を備える。加えて、機器管理部３２７は、カレンダスケジュールデータ３２３において、異なる電気機器管理装置ＩＤに関連付けられた情報の内容が予め定められた関係、すなわち、カレンダスケジュールデータ３２３によって示される、住宅Ａ〜Ｃのそれぞれのユーザごとの予定が予め定められた関係にある場合、外部ネットワーク２２１を介して、電気機器管理装置３０２ａ〜ｃの各々へ制御信号を送信する。この制御信号は、電気機器管理装置３０２ａ〜ｃの各々が管理する電気機器１０１に予め定められた動作をさせるための信号である。
【０１３９】
電気機器管理装置３０２ａ〜ｃは、それぞれ、住宅Ａ〜Ｃに設置され、住宅Ａ〜Ｃに設けられた電気機器１０１を管理する。電気機器管理装置３０２ａ〜ｃは、それぞれ、同様の構成を備えており、電気機器管理装置３０２ａの機能的な構成の例を図１９に示す。電気機器管理装置３０２ａは、同図に示すように、実施の形態２に係る機器制御部１１８に代わる、機器制御部３１８を備えることを除いて、実施の形態２に係る電気機器管理装置２０２と概ね同じ構成を備える。
【０１４０】
機器制御部３１８は、実施の形態２に係る機器制御部１１８と（すなわち、実施の形態１に係る機器制御部１１８とも）同様の機能を備える。加えて、機器制御部３１８は、サーバ装置３２２から外部ネットワーク２２１を介して、電気機器１０１の動作を制御するための制御信号を受信する。機器制御部３１８は、サーバ装置３２２からの制御信号を受信すると、その制御信号に従って、宅内の電気機器１０１を動作させる。
【０１４１】
本実施の形態によれば、カレンダスケジュールデータ３２３が示す内容の関係に応じて、電気機器管理装置３０２ａ〜ｃの各々に予め定めた動作をさせることができる。例えば、図１７に示す住居Ａ〜Ｃのカレンダスケジュールデータ３２３では、２０１３年７月１３日の夜が、住居Ａ〜Ｃのすべてで夜間留守である。住居Ａ〜Ｃが近隣の住居である場合には、例えば防犯のために、２０１３年７月１３日の夜には住居Ａ〜Ｃの照明機器を点灯させるとよい。これにより、ユーザが安心して外出することができ、ユーザの快適性が向上する。
【０１４２】
以上、本発明の実施の形態について説明したが、本発明は、各実施の形態に限定されるものではなく、各実施の形態及び変形例を適宜組み合わせた形態、それに種々の変更を加えた形態を含む。
【産業上の利用可能性】
【０１４３】
本出願に係る発明は、電気機器を管理する機能を備えた電気機器管理装置、電気機器管理システム、電気機器及び端末装置に利用することができ、また、そのための電気機器管理方法及びプログラムに利用することができる。
【符号の説明】
【０１４４】
１００，２００，３００  電気機器管理システム、１０１  電気機器、１０２，２０２，３０２ａ〜ｃ  電気機器管理装置、１０３，２０３  端末装置、１０４，２０４，２２５，３２５  記憶部、１０５  機器スケジュールデータ、１０６，２２３，３２３  カレンダスケジュールデータ、１０７  連動制御規則データ、１０８  連動定義データ、１０９  一括設定定義データ、１１０  区画データ、１１１  表示部、１１２  入力部、１１３，２１３  ユーザスケジュール登録部、１１４，２１４  ユーザスケジュール取得部、１１５  連動制御判断部、１１６  機器スケジュール設定部、１１７  機器スケジュール登録部、１１８，３１８  機器制御部、１１９  制御カレンダ作成部、１２０  通知スケジュール作成部、２２１  外部ネットワーク、２２２，３２２  サーバ装置、２２４，３２４  管理データ、２２６  同期部、３２７  機器管理部。
【図１】
2015114810.tif 000003
【図２】
2015114810.tif 000004
【図３Ａ】
2015114810.tif 000005
【図３Ｂ】
2015114810.tif 000006
【図４】
2015114810.tif 000007
【図５】
2015114810.tif 000008
【図６】
2015114810.tif 000009
【図７】
2015114810.tif 000010
【図８】
2015114810.tif 000011
【図９】
2015114810.tif 000012
【図１０】
2015114810.tif 000013
【図１１】
2015114810.tif 000014
【図１２】
2015114810.tif 000015
【図１３】
2015114810.tif 000016
【図１４】
2015114810.tif 000017
【図１５】
2015114810.tif 000018
【図１６】
2015114810.tif 000019
【図１７】
2015114810.tif 000020
【図１８】
2015114810.tif 000021
【図１９】
2015114810.tif 000022
【手続補正書】
【提出日】平成28年5月17日(2016.5.17)
【手続補正２】
【補正対象書類名】明細書
【補正対象項目名】０００１
【補正方法】変更
【補正の内容】
【０００１】
本発明は、電気機器管理装置、電気機器管理システム、電気機器、端末装置、電気機器管理方法及びプログラムに関する。
【手続補正３】
【補正対象書類名】明細書
【補正対象項目名】０００６
【補正方法】変更
【補正の内容】
【０００６】
上記目的を達成するため、本発明に係る電気機器管理装置は、
予定の内容と前記予定に関連するユーザとを含むユーザスケジュールデータを取得するユーザスケジュール取得手段と、
前記予定の内容と、前記予定に関連するユーザと、電気機器の制御スケジュールを決定するための連動制御規則とが関連付けられた連動制御規則データが格納される記憶手段と、
前記ユーザスケジュール取得手段によって取得されたユーザスケジュールデータと、前記記憶手段に格納された連動制御規則データとに基づいて、前記予定の内容と前記予定に関連するユーザとに応じた制御対象機器の制御スケジュールを設定する機器スケジュール設定手段とを備える。
【手続補正４】
【補正対象書類名】特許請求の範囲
【補正対象項目名】全文
【補正方法】変更
【補正の内容】
【特許請求の範囲】
【請求項１】
予定の内容と前記予定に関連するユーザとを含むユーザスケジュールデータを取得するユーザスケジュール取得手段と、
前記予定の内容と、前記予定に関連するユーザと、電気機器の制御スケジュールを決定するための連動制御規則とが関連付けられた連動制御規則データが格納される記憶手段と、
前記ユーザスケジュール取得手段によって取得されたユーザスケジュールデータと、前記記憶手段に格納された連動制御規則データとに基づいて、前記予定の内容と前記予定に関連するユーザとに応じた制御対象機器の制御スケジュールを設定する機器スケジュール設定手段とを備える電気機器管理装置。
【請求項２】
前記連動制御規則データは、前記制御対象機器を決定するための前記連動制御規則として、予め設定される区画と前記ユーザとを関連付けた区画データをさらに含むとともに、前記区画と前記電気機器とを関連付けたデータを含み、
前記機器スケジュール設定手段は、前記ユーザスケジュールデータに含まれるユーザに前記区画データにて関連付けられた区画を特定し、当該特定した区画に前記連動制御規則データにて関連付けられた前記電気機器を特定することによって、前記制御対象機器を決定する
請求項１に記載の電気機器管理装置。
【請求項３】
前記連動制御規則データは、前記特定された区画に前記区画データにて関連付けられたユーザと前記ユーザスケジュールデータに含まれるユーザとの関係を前記電機機器に対応付けて定めた設定条件を、前記制御対象機器を決定するための前記連動制御規則として、さらに含み、
前記機器スケジュール設定手段は、前記特定した電気機器のうち、前記対応する設定条件を満たすものを前記制御対象機器として決定する
請求項２に記載の電気機器管理装置。
【請求項４】
前記連動制御規則データは、
前記制御対象機器を決定するための前記連動制御規則として、予め設定される区画と前記ユーザとを関連付けた区画データと、
前記区画と前記電気機器とを関連付けたデータと、
前記区画に前記区画データにて関連付けられたユーザと前記ユーザスケジュールデータに含まれるユーザとの関係を前記電機機器に対応付けて定めた設定条件とを含み、
前記機器スケジュール設定手段は、前記ユーザスケジュールデータに含まれるユーザに前記区画データにて関連付けられた区画を特定し、当該特定した区画に前記区画データにて関連付けられたユーザと前記ユーザスケジュールデータに含まれるユーザとが前記設定条件を満たす場合に、当該設定条件に対応付けられた電気機器を前記制御対象機器として決定する
請求項１に記載の電気機器管理装置。
【請求項５】
前記設定条件は、前記区画に前記区画データにて関連付けられたユーザのうち予め定められたユーザのすべてが、前記ユーザスケジュールデータに含まれるユーザに含まれることを示す第１の設定条件を含み、
前記機器スケジュール設定手段は、前記第１の設定条件を満たす場合に、当該第１の設定条件に対応付けられた電気機器を前記制御対象機器とし、第１の制御を制御内容とする制御スケジュールを設定する
請求項３又は４に記載の電気機器管理装置。
【請求項６】
前記設定条件は、前記区画に前記区画データにて関連付けられたユーザの少なくとも１人が、前記ユーザスケジュールデータに含まれるユーザに含まれることを示す第２の設定条件を含み、
前記機器スケジュール設定手段は、前記第２の設定条件を満たす場合に、当該第２の設定条件に対応付けられた電気機器を前記制御対象機器とし、第２の制御を制御内容とする制御スケジュールを設定する
請求項３から５のいずれか１項に記載の電気機器管理装置。
【請求項７】
前記設定条件は、前記区画に前記区画データにて関連付けられたユーザのうち予め定められたユーザのすべてが、前記ユーザスケジュールデータに含まれるユーザに含まれることを示す第１の設定条件と、前記区画に前記区画データにて関連付けられたユーザの少なくとも１人が、前記ユーザスケジュールデータに含まれるユーザに含まれることを示す第２の設定条件とを含み、
前記機器スケジュール設定手段は、前記第１の設定条件を満たす場合に、当該第１の設定条件に対応付けられた電気機器を前記制御対象機器とし、第１の制御を制御内容とする制御スケジュールを設定し、前記第２の設定条件を満たす場合に、当該第２の設定条件に対応付けられた電気機器を前記制御対象機器とし、第２の制御を制御内容とする制御スケジュールを設定し、
前記第１の制御と前記第２の制御とは、異なる制御内容を示す
請求項３又は４に記載の電気機器管理装置。
【請求項８】
前記機器スケジュール設定手段によって設定された制御スケジュールに従って、前記制御対象機器を制御する機器制御手段をさらに備える
請求項１から７のいずれか１項に記載の電気機器管理装置。
【請求項９】
前記機器スケジュール設定手段により設定された前記制御スケジュールに従って前記制御対象機器を制御する前に、前記制御対象機器を制御することを通知する通知手段をさらに備える
請求項１から８のいずれか１項に記載の電気機器管理装置。
【請求項１０】
前記機器スケジュール設定手段により設定された前記制御スケジュールと、前記ユーザスケジュールデータにより示される予定とを含むカレンダを表示する表示手段をさらに備える
請求項１から９のいずれか１項に記載の電気機器管理装置。
【請求項１１】
前記連動制御規則データは、
前記予定の内容と当該予定に関連するユーザとに応じた一括設定の種類と、当該一括設定による制御を行う制御時刻を決定するための情報とを含む連動定義データと、
前記一括設定の種類と、当該一括設定の種類に応じた制御対象機器と、当該制御対象機器に対する制御内容とを含む一括設定定義データとを含み、
前記機器スケジュール設定手段は、前記ユーザスケジュールデータと前記連動定義データと前記一括設定定義データとに基づいて、前記ユーザスケジュールデータに含まれる予定の内容と当該予定に関連するユーザとに応じた、前記制御時刻、前記制御対象機器及び前記制御内容を含む前記制御スケジュールを設定する
請求項１から１０のいずれか１項に記載の電気機器管理装置。
【請求項１２】
前記予定の内容は、予定の種類と予定タイトルとの少なくとも一方を含む
請求項１から１１のいずれか１項に記載の電気機器管理装置。
【請求項１３】
ユーザ入力に基づいてカレンダスケジュールデータを生成して送信する端末装置と、
請求項１から１２のいずれか１項に記載の電気機器管理装置と、
前記端末装置と前記電気機器管理装置とのそれぞれに通信回線を介して接続されるサーバ装置とを備え、
前記サーバ装置は、
前記端末装置と前記電気機器管理装置とを対応付ける管理データが格納される管理記憶手段と、
前記カレンダスケジュールデータが格納されるカレンダスケジュール記憶手段と、
前記端末装置から送信される前記カレンダスケジュールデータを受信し、前記受信したカレンダスケジュールデータによりカレンダスケジュール記憶手段を更新するとともに、前記受信したカレンダスケジュールデータを前記電気機器管理装置へ転送する同期手段とを備え、
前記ユーザスケジュール取得手段は、前記通信回線を介して、前記同期手段から前記カレンダスケジュールデータを取得する電気機器管理システム。
【請求項１４】
請求項１から１２のいずれか１項に記載された、複数の電気機器管理装置と、
前記電気機器管理装置とのそれぞれに通信回線を介して接続されるサーバ装置とを備え、
前記サーバ装置は、
前記電気機器管理装置のそれぞれの、前記通信回線におけるアドレスを含む管理データが格納される管理記憶手段と、
前記電気機器管理装置のユーザごとの、カレンダスケジュールデータが格納されるカレンダスケジュール記憶手段と、
前記電気機器管理装置のユーザごとの前記カレンダスケジュールデータにより示されるユーザの予定が予め定められた関係にある場合に、前記電気機器管理装置のそれぞれが管理する機器の動作を制御するための制御信号を生成して、前記電気機器管理装置のそれぞれの前記アドレスへ送信する機器管理手段とを備え、
前記電気機器管理装置のそれぞれは、前記機器管理手段から送信された前記制御信号を受信し、前記制御信号に従って前記機器の動作を制御する電気機器管理システム。
【請求項１５】
予定の内容と前記予定に関連するユーザとを含むユーザスケジュールデータを取得するユーザスケジュール取得手段と、
前記予定の内容と、前記予定に関連するユーザと、電気機器の制御スケジュールを決定するための連動制御規則とが関連付けられた連動制御規則データが格納される記憶手段と、
前記ユーザスケジュール取得手段によって取得されたユーザスケジュールデータと、前記記憶手段に格納された連動制御規則データとに基づいて、前記予定の内容と前記予定に関連するユーザとに応じた制御対象機器の制御スケジュールを設定する機器スケジュール設定手段とを備える電気機器。
【請求項１６】
予定の内容と前記予定に関連するユーザとを含むユーザスケジュールデータを取得するユーザスケジュール取得手段と、
前記予定の内容と、前記予定に関連するユーザと、電気機器の制御スケジュールを決定するための連動制御規則とが関連付けられた連動制御規則データが格納される記憶手段と、
前記ユーザスケジュール取得手段によって取得されたユーザスケジュールデータと、前記記憶手段に格納された連動制御規則データとに基づいて、前記予定の内容と前記予定に関連するユーザとに応じた制御対象機器の制御スケジュールを設定する機器スケジュール設定手段とを備える端末装置。
【請求項１７】
予定の内容と前記予定に関連するユーザとを含むユーザスケジュールデータを取得し、
前記予定の内容と、前記予定に関連するユーザと、電気機器の制御スケジュールを決定するための連動制御規則とが関連付けられた連動制御規則データに基づいて、前記取得されたユーザスケジュールデータに含まれる前記予定の内容と前記予定に関連するユーザとに応じた制御対象機器の制御スケジュールを設定する電気機器管理方法。
【請求項１８】
コンピュータを、
予定の内容と前記予定に関連するユーザとを含むユーザスケジュールデータを取得するユーザスケジュール取得手段、
前記予定の内容と、前記予定に関連するユーザと、電気機器の制御スケジュールを決定するための連動制御規則とが関連付けられた連動制御規則データが格納される記憶手段、
前記ユーザスケジュール取得手段によって取得されたユーザスケジュールデータと、前記記憶手段に格納された連動制御規則データとに基づいて、前記予定の内容と前記予定に関連するユーザとに応じた制御対象機器の制御スケジュールを設定する機器スケジュール設定手段として機能させるためのプログラム。
【国際調査報告】
2015114810.tif 000023
2015114810.tif 000024